(57)【要約】      （修正有）【課題】撮影スポットに設置されたカメラを利用して寄付金付き写真撮影サービスを提供するためのシステムおよび方法を提供する。【解決手段】寄付金付き写真撮影サービスは、カメラ１２０によって撮影された写真をユーザに提供するための写真提供手段と、写真の代金に加えて、または、写真の代金に含めて、撮影スポットを設置した設置者への寄付金をユーザが支払うことを可能にするための寄付金支払い手段とを備える。【効果】観光拠点を運営する運営者への寄付金を増加させることが可能になる。【選択図】図１
2020155034.tif 000002
【特許請求の範囲】
【請求項１】
撮影スポットに設置されたカメラを利用して寄付金付き写真撮影サービスを提供するシステムであって、前記システムは、
前記カメラによって撮影された写真をユーザに提供するための写真提供手段と、
前記写真の代金に加えて、または、前記写真の代金に含めて、前記撮影スポットを設置した設置者への寄付金を前記ユーザが支払うことを可能にするための寄付金支払い手段と
を備える、システム。
【請求項２】
前記寄付金支払い手段は、前記ユーザが前記ユーザが所持するユーザ装置を利用して前記寄付金を支払うための手段を含む、請求項１に記載のシステム。
【請求項３】
前記ユーザが前記ユーザ装置を利用して前記寄付金を支払うための手段は、
前記ユーザが前記写真の代金とは別途の前記寄付金の金額または前記寄付金を含む前記写真の代金の金額を決定するための手段と、
前記金額を前記ユーザ装置に入力するための手段と
を含む、請求項２に記載のシステム。
【請求項４】
前記金額を決定するための手段は、前記ユーザが前記金額を１円単位で決定することによって、または、予め決められた複数の金額の中から１つの金額を前記ユーザが選択することによって、前記金額を決定する、請求項３に記載のシステム。
【請求項５】
前記写真提供手段は、
前記ユーザが所持するユーザ装置を利用して前記ユーザが前記カメラを遠隔的に操作するための手段と、
前記ユーザが前記ユーザ装置を利用して前記カメラを遠隔的に操作することによって前記カメラによって撮影された写真を前記ユーザ装置に取り込むための手段と
を含む、請求項１に記載のシステム。
【請求項６】
前記写真提供手段は、
前記ユーザ以外の第２のユーザが、前記写真を前記第２のユーザが所持するユーザ装置に取り込むことを禁止するための手段
をさらに含む、請求項５に記載のシステム。
【請求項７】
前記写真を前記ユーザ装置に取り込むための手段は、
前記カメラによって撮影された写真をクラウド上の格納部にアップロードすることによって、前記写真を前記格納部に格納するための手段と、
前記格納部に格納されている前記写真を前記ユーザ装置にダウンロードするための手段と
を含む、請求項５または請求項６に記載のシステム。
【請求項８】
前記システムは、前記撮影スポット以外の第２の撮影スポットに前記ユーザを案内するための手段をさらに備え、
前記撮影スポットは、前記寄付金付き写真撮影サービスを導入している第１の観光拠点内の撮影スポットであり、前記第２の撮影スポットは、前記寄付金付き写真撮影サービスを導入している第２の観光拠点内の撮影スポットである、請求項１〜７のいずれか一項に記載のシステム。
【請求項９】
撮影スポットに設置されたカメラを利用して寄付金付き写真撮影サービスを提供する方法であって、前記方法は、
前記カメラによって撮影された写真をユーザに提供することと、
前記写真の代金に加えて、または、前記写真の代金に含めて、前記撮影スポットを設置した設置者への寄付金を前記ユーザが支払うことを可能にすることと
を含む、方法。
【発明の詳細な説明】
【技術分野】
【０００１】
本発明は、撮影スポットに設置されたカメラを利用して寄付金付き写真撮影サービスを提供するためのシステムおよび方法に関する。
【背景技術】
【０００２】
近年、外国人観光客の増加に伴い、人気がある観光拠点（例えば、重要文化財が設置されている神社仏閣や、大阪城や京都タワーなどの観光名所）が観光客で混雑することが多くなっている。
【先行技術文献】
【非特許文献】
【０００３】
【非特許文献１】全日空商事株式会社、株式会社エスキュービズム、“外国人観光客が増加している理由とは？インバウンドの最新トレンドについて徹底解説！”、［online］、［平成３１年３月１９日検索］、インターネット<URL:https://inboundnow.jp/media/knowhow/6119/>
【発明の概要】
【発明が解決しようとする課題】
【０００４】
しかしながら、人気がある観光拠点を運営する運営者（特に、重要文化財が設置されている神社仏閣）であっても、外国人観光客の増加に見合うだけの寄付金の増加が見込めないという課題があった。また、人気がない観光拠点を運営する運営者（例えば、電車やバスなどでのアクセスが不便な神社仏閣）にあっては、外国人観光客の増加の恩恵を受けることが少なくなおさら寄付金の増加が見込めないという課題があった。
【０００５】
本発明は、観光拠点を運営する運営者への寄付金を増加させることを可能にするシステムおよび方法を提供することを目的とする。
【課題を解決するための手段】
【０００６】
本発明の１つの局面において、本発明のシステムは、撮影スポットに設置されたカメラを利用して寄付金付き写真撮影サービスを提供するシステムであり、前記システムは、前記カメラによって撮影された写真をユーザに提供するための写真提供手段と、前記写真の代金に加えて、または、前記写真の代金に含めて、前記撮影スポットを設置した設置者への寄付金を前記ユーザが支払うことを可能にするための寄付金支払い手段とを備え、これにより、上記目的が達成される。
【０００７】
本発明の１つの実施形態では、前記寄付金支払い手段は、前記ユーザが前記ユーザが所持するユーザ装置を利用して前記寄付金を支払うための手段を含んでいてもよい。
【０００８】
本発明の１つの実施形態では、前記ユーザが前記ユーザ装置を利用して前記寄付金を支払うための手段は、前記ユーザが前記写真の代金とは別途の前記寄付金の金額または前記寄付金を含む前記写真の代金の金額を決定するための手段と、前記金額を前記ユーザ装置に入力するための手段とを含んでいてもよい。
【０００９】
本発明の１つの実施形態では、前記金額を決定するための手段は、前記ユーザが前記金額を１円単位で決定することによって、または、予め決められた複数の金額の中から１つの金額を前記ユーザが選択することによって、前記金額を決定してもよい。
【００１０】
本発明の１つの実施形態では、前記写真提供手段は、前記ユーザが所持するユーザ装置を利用して前記ユーザが前記カメラを遠隔的に操作するための手段と、前記ユーザが前記ユーザ装置を利用して前記カメラを遠隔的に操作することによって前記カメラによって撮影された写真を前記ユーザ装置に取り込むための手段とを含んでいてもよい。
【００１１】
本発明の１つの実施形態では、前記写真提供手段は、前記ユーザ以外の第２のユーザが、前記写真を前記第２のユーザが所持するユーザ装置に取り込むことを禁止するための手段をさらに含んでいてもよい。
【００１２】
本発明の１つの実施形態では、前記写真を前記ユーザ装置に取り込むための手段は、前記カメラによって撮影された写真をクラウド上の格納部にアップロードすることによって、前記写真を前記格納部に格納するための手段と、前記格納部に格納されている前記写真を前記ユーザ装置にダウンロードするための手段とを含んでいてもよい。
【００１３】
本発明の１つの実施形態では、前記システムは、前記撮影スポット以外の第２の撮影スポットに前記ユーザを案内するための手段をさらに備え、前記撮影スポットは、前記寄付金付き写真撮影サービスを導入している第１の観光拠点内の撮影スポットであり、前記第２の撮影スポットは、前記寄付金付き写真撮影サービスを導入している第２の観光拠点内の撮影スポットであってもよい。
【００１４】
本発明の１つの局面において、本発明の方法は、撮影スポットに設置されたカメラを利用して寄付金付き写真撮影サービスを提供する方法であり、前記方法は、前記カメラによって撮影された写真をユーザに提供することと、前記写真の代金に加えて、または、前記写真の代金に含めて、前記撮影スポットを設置した設置者への寄付金を前記ユーザが支払うことを可能にすることとを含み、これにより、上記目的が達成される。
【発明の効果】
【００１５】
本発明によれば、観光拠点を運営する運営者への寄付金を増加させることを可能にするシステムおよび方法を提供することが可能である。
【図面の簡単な説明】
【００１６】
【図１】「寄付金付き写真撮影サービス」という新しいサービスを提供するためのシステム１００の構成の一例を示す図
【図２】「寄付金付き写真撮影サービス」という新しいサービスを提供するためのデータフローの一例を示す図
【図３Ａ】ユーザ装置１６０に表示される写真代金支払い画面の一例を示す図
【図３Ｂ】ユーザ装置１６０に表示される写真代金支払い画面の一例を示す図
【図３Ｃ】ユーザ装置１６０に表示される写真代金支払い画面の一例を示す図
【図３Ｄ】ユーザ装置１６０に表示される写真代金支払い画面の一例を示す図
【図４Ａ】ユーザ装置１６０に表示される写真代金支払い画面の一例を示す図
【図４Ｂ】ユーザ装置１６０に表示される写真代金支払い画面の一例を示す図
【図４Ｃ】ユーザ装置１６０に表示される写真代金支払い画面の一例を示す図
【図４Ｄ】ユーザ装置１６０に表示される写真代金支払い画面の一例を示す図
【図５Ａ】ユーザ装置１６０に表示されるシャッター操作画面の一例を示す図
【図５Ｂ】ユーザ装置１６０に表示されるダウンロード要求画面の一例を示す図
【発明を実施するための形態】
【００１７】
以下、図面を参照しながら、本発明の実施の形態を説明する。
【００１８】
１．「寄付金付き写真撮影サービス」という新しいサービス
出願人は、「寄付金付き写真撮影サービス」という新しいサービスを提案する。この新しいサービスは、観光拠点を運営する運営者への寄付金を増加させることを企図している。特に、外国人観光客が増加している人気がある観光拠点においても、外国人観光客が増加している恩恵を受けることが少ない人気がない観光拠点においても、観光拠点を運営する運営者への寄付金を増大させることは有益である。本発明は、この新しいサービスを提供するものである。
【００１９】
２．「寄付金付き写真撮影サービス」という新しいサービスを提供するためのシステムの構成
【００２０】
図１は、「寄付金付き写真撮影サービス」という新しいサービスを提供するためのシステム１００の構成の一例を示す。
【００２１】
システム１００は、コード生成装置１１０と、撮影スポットに設置されたカメラ１２０と、カメラ１２０を制御するためのカメラ制御装置１３０と、カメラ１２０によって撮影された写真をクラウド上に格納するためのクラウド格納部１４０と、クラウド格納部１４０に接続されたサーバ装置１５０と、ユーザ装置１６０とを含む。
【００２２】
カメラ１２０が設置された撮影スポットの周辺では、カメラ１２０によって撮影された写真に無関係な観光客が写り込まないようにする対策を講じることが好ましい。そのような対策の一例は、カメラ１２０が設置された撮影スポットの周辺への観光客の入場を制限することであるが、これに限定されない。このような対策を講じることにより、観光客で混雑している人気がある観光拠点においても、観光客は、無関係な観光客が写り込んでない貴重な写真を撮影することが可能である。このことは、観光客にとって非常に有益である。さらに、観光客の入場を制限する入場制限ゾーンの手前に観光客が入場待機するための入場待機ゾーンを設け、必要に応じて係員が入場待機ゾーンから入場制限ゾーンに観光客を誘導するようにしてもよい。
【００２３】
撮影スポットにカメラ１２０を設置するために、カメラ１２０は、三脚などの支持台の上に固定されることが好ましい。また、コード生成装置１１０、カメラ１２０、カメラ制御装置１３０などの電子機器に雨や雪がかからないように、これらの電子機器の上に屋根を設置することが好ましい。あるいは、そのような屋根を設置する代わりに、または、そのような屋根を設置することに加えて、これらの電子機器に対して防水対策が講じられていることが好ましい。また、これらの電子機器が盗難されないようにこれらの電子機器を固定物にチェーンで繋ぐなどの盗難対策が講じられていることが好ましい。
【００２４】
コード生成装置１１０は、撮影識別子を生成する。ここで、撮影識別子とは、１回の撮影単位において撮影された少なくとも１枚の写真を識別するための識別子である。例えば、１回の撮影単位においてユーザがカメラ１２０のシャッターを３回操作することによって３枚の写真を撮影するというルールが予め決められている場合には、撮影識別子は、その３枚の写真の組を識別するための識別子である。コード生成装置１１０によって撮影識別子が生成されるたびに、撮影識別子は変化する。
【００２５】
コード生成装置１１０は、コード（例えば、ＱＲコード（登録商標））を生成する。コード生成装置１１０によって生成されるコードは、ユーザが所持するユーザ装置１６０において起動されるプログラムのアドレス（例えば、プログラムがＷｅｂプログラムである場合には、そのＷｅｂプログラムのＵＲＬ）およびコード生成装置１１０によって生成された撮影識別子を少なくとも表す。ユーザ装置１６０において起動されるプログラムのアドレスは変化しない（同一である）が、上述したようにコード生成装置１１０によって撮影識別子が生成されるたびに、撮影識別子は変化するため、コード生成装置１１０によってコードが生成されるたびに、コードは変化する。従って、コード生成装置１１０によって生成されるコードは、生成されるたびに異なるコードである。コード生成装置１１０は、任意のタイプの情報処理装置であり得る。例えば、コード生成装置１１０は、タブレット型の情報処理装置であり得るが、これに限定されない。
【００２６】
カメラ１２０は、直接的な操作によって、または、遠隔的な操作によって写真（例えば、デジタル写真）を撮影することが可能なように構成されている。カメラ１２０に対する操作の一例は、シャッター操作であるが、これに限定されない。カメラ１２０に対する操作は、例えば、カメラ１２０の電源のオンオフの切り替え、セルフタイマーモードへの切り替え、カメラ１２０の撮影モードの変更（例えば、順光モード、逆光モード、ストロボモードの切り替え）、カメラ１２０のズーム倍率の変更、カメラ１２０の向きの調整を含んでいてもよい。カメラ１２０は、任意のタイプのカメラであり得る。例えば、カメラ１２０は、一眼レフタイプのデジタルカメラやデジタルビデオカメラであり得るが、これらに限定されない。
【００２７】
カメラ制御装置１３０は、カメラ１２０を制御するように構成されている。ただし、カメラ制御装置１３０がカメラ１２０を制御する態様は問わない。例えば、カメラ制御装置１３０は、カメラ１２０をどのように操作するかを示す操作信号をカメラ１２０に送信することによって、カメラ１２０を制御することが可能であるが、これに限定されない。カメラ制御装置１３０は、任意のタイプの情報処理装置であり得る。例えば、カメラ制御装置１３０は、ラップトップ型のパーソナルコンピュータ（ＰＣ）であり得るが、これに限定されない。
【００２８】
カメラ１２０、カメラ制御装置１３０への給電方法は任意であるが、カメラ１２０、カメラ制御装置１３０が屋外に設置される場合には、モバイルバッテリ（図示せず）によって給電されることが好ましい。
【００２９】
クラウド格納部１４０は、カメラ１２０によって撮影された写真をクラウド上に格納するように構成されている。クラウド格納部１４０は、任意のタイプのストレージデバイスであり得る。
【００３０】
サーバ装置１５０は、カメラ１２０によって撮影された写真をクラウド格納部１４０に格納し、クラウド格納部１４０に格納されている写真をクラウンド格納部１４０から取り出すように構成されている。サーバ装置１５０は、任意のタイプの情報処理装置であり得る。
【００３１】
ユーザ装置１６０は、ユーザが所持する携帯型の装置である。例えば、ユーザ装置１６０は、スマートフォンであり得るが、これに限定されない。
【００３２】
コード生成装置１１０は、サーバ装置１５０と通信可能なように構成されている。ただし、コード生成装置１１０とサーバ装置１５０との通信の態様は問わない。例えば、コード生成装置１１０とサーバ装置１５０とは、Ｗｉ−Ｆｉ（登録商標）回線およびモバイルＷｉ−Ｆｉ（登録商標）ルータ１７０およびインターネットなどのネットワークを介して互いに通信することが可能であるが、これに限定されない。
【００３３】
カメラ制御装置１３０は、カメラ１２０と通信可能なように構成されている。ただし、カメラ制御装置１３０とカメラ１２０との通信の態様は問わない。例えば、カメラ制御装置１３０とカメラ１２０とは、Ｗｉ−Ｆｉ（登録商標）回線を介して互いに通信することが可能であるが、これに限定されない。
【００３４】
カメラ制御装置１３０は、サーバ装置１５０と通信可能なように構成されている。カメラ制御装置１３０とサーバ装置１５０との通信の態様は問わない。例えば、カメラ制御装置１３０とサーバ装置１５０とは、Ｗｉ−Ｆｉ（登録商標）回線およびモバイルＷｉ−Ｆｉ（登録商標）ルータ１７０およびインターネットなどのネットワークを介して互いに通信することが可能であるが、これに限定されない。
【００３５】
ユーザ装置１６０は、サーバ装置１５０と通信可能なように構成されている。ただし、ユーザ装置１６０とサーバ装置１５０との通信の態様は問わない。例えば、ユーザ装置１６０とサーバ装置１５０とは、インターネットなどのネットワークを介して互いに通信することが可能であるが、これに限定されない。
【００３６】
３．「寄付金付き写真撮影サービス」という新しいサービスを提供するためのデータフロー
【００３７】
図２は、「寄付金付き写真撮影サービス」という新しいサービスを提供するためのデータフローの一例を示す。
【００３８】
ステップＳ１０００：コード生成装置１１０は、撮影識別子を生成し、撮影識別子をサーバ装置１５０に送信する。
【００３９】
ステップＳ１０１０：サーバ装置１５０は、コード生成装置１１０から送信された撮影識別子を受信する。
【００４０】
ステップＳ１０２０：コード生成装置１１０は、コード（例えば、ＱＲコード（登録商標））を生成する。
【００４１】
ステップＳ１０３０：ユーザ装置１６０は、コード生成装置１１０によって生成されたコードを読み取る。
【００４２】
ステップＳ１０４０：コード生成装置１１０によって生成されたコードがユーザ装置１６０によって読み取られると、ユーザ装置１６０は、その読み取られたコードによって表されるアドレスに従ってプログラムを起動する。このプログラムは、例えば、Ｗｅｂアプリケーションプログラムであるが、これに限定されない。このプログラムが起動された結果、ユーザ装置１６０の画面は、写真代金支払い画面に遷移する。
【００４３】
ステップＳ１０５０：ユーザ装置１６０は、写真代金支払い画面に対するユーザ操作を検出したことに応答して、写真の代金に加えて、または、写真の代金に含めて、撮影スポットを設置した設置者への寄付金をユーザが支払うための処理を実行する。この写真代金支払い画面に対するユーザ操作の詳細は、図３Ａ〜図３Ｄおよび図４Ａ〜図４Ｄを参照して後述する。写真の代金に加えて、または、写真の代金に含めて、撮影スポットを設置した設置者への寄付金をユーザが支払うための処理の処理が終了すると、ユーザ装置１６０の画面は、シャッター操作画面に遷移する。
【００４４】
ステップＳ１０６０：ユーザは、シャッター操作画面においてカメラ１２０のシャッターの押下を遠隔的に実行するためのユーザ操作（例えば、ユーザがシャッター操作画面に表示される「ＰＵＳＨ」ボタンにタッチする操作）を行うことが可能である。ユーザ装置１６０は、シャッター操作画面においてユーザがそのようなユーザ操作を行ったことを検出したことに応答して、カメラ１２０のシャッター押下を遠隔的に実行するための操作情報をサーバ装置１５０に送信する。この操作情報は、ユーザ操作を識別するための操作識別子と撮影識別子とを含む。
【００４５】
ステップＳ１０７０：サーバ装置１５０は、ユーザ装置１６０から送信された操作情報を受信したことに応答して、ステップＳ１０７０において受信された操作情報に含まれる撮影識別子とステップＳ１０１０において受信された撮影識別子とを突合する。両者が一致する場合に限り、サーバ装置１５０は、操作情報をカメラ制御装置１３０に送信する。
【００４６】
ステップＳ１０８０：カメラ制御装置１３０は、サーバ装置１５０から送信された操作情報を受信したことに応答して、操作情報に含まれる撮影識別子を取得するとともに、操作情報に対応する操作信号をカメラ１２０に送信する。この操作信号は、操作識別子を含む。
【００４７】
ステップＳ１０９０：カメラ１２０は、カメラ制御装置１３０から送信された操作信号を受信したことに応答して、操作信号に対応するシャッター操作を実行し、シャッター操作を実行することによって撮影された写真をカメラ制御装置１３０に送信する。
【００４８】
ステップＳ１１００：カメラ制御装置１３０は、カメラ１２０から送信された写真を受信したことに応答して、撮影識別子と写真とをサーバ装置１５０にアップロードする。
【００４９】
ステップＳ１１１０：サーバ装置１５０は、カメラ制御装置１３０からアップロードされた撮影識別子と写真とを受信したことに応答して、写真をクラウド格納部１４０に格納する処理を実行する。なお、クラウド格納部１４０において写真が格納される格納位置は、撮影識別子によって識別される。これにより、１回の撮影単位ごとに異なる格納位置に写真を格納することが可能である。写真をクラウド格納部１４０に格納する処理が終了すると、処理終了信号がユーザ装置１６０に送信される。その後、ユーザ装置１６０の画面は、ダウンロード要求画面に遷移する。
【００５０】
ステップＳ１１２０：ユーザは、ダウンロード要求画面において写真のダウンロードを要求するためのユーザ操作（例えば、ユーザがダウンロード要求画面に表示される「Ｄｏｗｎｌｏａｄ」ボタンにタッチする操作）を行うことが可能である。ユーザ装置１６０は、ダウンロード要求画面においてユーザがそのような操作を行ったことを検出したことに応答して、写真をダウンロードすることを要求するダウンロード要求をサーバ装置１５０に送信する。このダウンロード要求は、撮影識別子を含む。
【００５１】
ステップＳ１１３０：サーバ装置１５０は、ダウンロード要求に含まれる撮影識別子によって識別される格納位置に格納されている写真をクラウド格納部１４０から取り出し、クラウド格納部１４０から取り出された写真をユーザ装置１６０にダウンロードする。これにより、撮影識別子によって識別される１回の撮影単位の写真を撮影したユーザ以外のユーザが、撮影識別子によって識別される格納位置に格納されている写真をクラウド格納部１４０から取り出すことが禁止される。その結果、その写真がユーザ装置１６０以外のユーザ装置にダウンロードすることが禁止される。
【００５２】
ステップＳ１１４０：ユーザ装置１６０は、サーバ装置１５０からダウンロードされた写真を受信し、ダウンロードされた写真をユーザ装置１６０内のメモリに格納する。
【００５３】
なお、図２に示されるデータフローでは、ユーザがユーザ装置１６０を利用してカメラ１２０を遠隔的に操作することにより、写真を１枚だけ撮影する場合の例を説明したが、本発明はこれに限定されない。例えば、ユーザがユーザ装置１６０を利用してカメラ１２０を遠隔的に操作することにより、写真を予め決められた枚数（例えば、３枚）撮影することも可能である。例えば、写真を３枚撮影するためには、図２に示されるステップＳ１０６０〜ステップＳ１１１０の処理を３回ループさせるようにすればよい。あるいは、ユーザがユーザ装置１６０を利用してカメラ１２０を遠隔的に操作することにより、写真をユーザが希望する任意の枚数撮影することも可能である。例えば、写真をユーザが希望する任意の枚数撮影するためには、図２に示されるステップＳ１１２０の前に、ユーザが希望する枚数の写真の撮影が終了したか否かをユーザ装置１６０が判定するステップを追加し、その判定が「はい」になるまで、図２に示されるステップＳ１０６０〜ステップＳ１１１０の処理をループさせるようにすればよい。ただし、撮影スポット周辺の入場制限ゾーンの混雑を回避するためには、ユーザが撮影できる写真の枚数の上限を設けるか、または、ユーザが入場制限ゾーンに滞在できる時間の上限を設けることが好ましい。
【００５４】
図３Ａ〜図３Ｄは、図２に示されるステップＳ１０５０において、ユーザ装置１６０に表示される写真代金支払い画面の一例を示す。これらの写真代金支払い画面は、写真の代金に加えて、撮影スポットを設置した設置者への寄付金をユーザが支払うためのものである。ユーザは、本人の任意の意思に従って、寄付をするかどうか、寄付をする場合にはいくらの寄付をするかを決定することが可能である。例えば、ユーザは、寄付金の金額を０円とすることが可能である（このことは、ユーザが寄付をしないことを示す）。
【００５５】
図３Ａは、写真の代金（例えば、３００円）に加えて、ユーザが寄付金の金額をプルダウンメニューを用いて１円単位で決定することが可能な写真代金支払い画面の一例を示す。
【００５６】
図３Ｂは、写真の代金（例えば、３００円）に加えて、ユーザが寄付金の金額をテンキーを用いて１円単位で入力することが可能な写真代金支払い画面の一例を示す。
【００５７】
図３Ｃは、写真の代金（例えば、３００円）に加えて、ユーザが寄付金の金額をプルダウンメニューを用いて複数の候補金額（例えば、０円または２００円または７００円）の中から選択することが可能な写真代金支払い画面の一例を示す。
【００５８】
図３Ｄは、写真の代金（例えば、３００円）に加えて、ユーザが寄付金の金額を選択式メニューを用いて複数の候補金額（例えば、０円または２００円または７００円）の中から選択することが可能な写真代金支払い画面の一例を示す。
【００５９】
なお、図３Ａ〜図３Ｄに示される実施形態では、ユーザは、写真の代金に加えて、撮影スポットを設置した設置者への寄付金を支払うことになる。この場合の寄付金は、ユーザがその設置者に寄付したものである。従って、システム１００の運営者が、ユーザから設置者への寄付金をいったん預かり、その後、その寄付金をその設置者に支払うという形をとる。
【００６０】
図４Ａ〜図４Ｄは、図２に示されるステップＳ１０５０において、ユーザ装置１６０に表示される写真代金支払い画面の一例を示す。これらの写真代金支払い画面は、写真の代金に含めて、撮影スポットを設置した設置者への寄付金をユーザが支払うためのものである。ユーザは、本人の任意の意思に従って、写真の代金をいくらにするかを決定することが可能である。写真の代金の一部が寄付金になる。写真の代金のうちのいくらが（または何％が）寄付金になるのかを写真代金支払い画面に表示するようにしてもよい。
【００６１】
図４Ａは、写真の代金に含めて、ユーザが寄付金の金額をプルダウンメニューを用いて１円単位で決定することが可能な写真代金支払い画面の一例を示す。
【００６２】
図４Ｂは、写真の代金に含めて、ユーザが寄付金の金額をテンキーを用いて１円単位で入力することが可能な写真代金支払い画面の一例を示す。
【００６３】
図４Ｃは、写真の代金に含めて、ユーザが寄付金の金額をプルダウンメニューを用いて複数の候補金額（例えば、３００円または５００円または１０００円）の中から選択することが可能な写真代金支払い画面の一例を示す。
【００６４】
図４Ｄは、写真の代金に含めて、ユーザが寄付金の金額を選択式メニューを用いて複数の候補金額（例えば、３００円または５００円または１０００円）の中から選択することが可能な写真代金支払い画面の一例を示す。
【００６５】
なお、図４Ａ〜図４Ｄに示される実施形態では、ユーザは、写真の代金に含めて、撮影スポットを設置した設置者への寄付金を支払うことになる。この場合の寄付金は、写真の代金の一部であるから、ユーザがその設置者に寄付したものにはならない。従って、システム１００の運営者が、写真の代金の一部をその設置者に寄付するという形をとる。
【００６６】
なお、図３Ａ〜図３Ｄおよび図４Ａ〜図４Ｄに示される例では、日本円で寄付を募る例を説明したが、これに限定されない。日本円以外の外貨（例えば、ＵＳドル）で寄付を募るようにしてもよい。
【００６７】
図５Ａは、図２に示されるステップＳ１０６０において、ユーザ装置１６０に表示されるシャッター操作画面の一例を示す。
【００６８】
図５Ａに示される例では、シャッター操作画面は、シャッターのタイミングを撮影者（ユーザ）に知らせるためのメッセージを表示するための領域５１０と、撮影スポットに設置されたカメラ１２０によって現在撮像されている映像をライブで表示する（すなわち、ライブビューイングする）ための領域５２０と、カメラ１２０によって既に撮影された写真を並べて表示するための領域５３０と、カメラ１２０のシャッターを遠隔的に操作するための「ＰＵＳＨ」ボタンを表示するための領域５４０とを含む。なお、領域５１０にメッセージを表示することに代えて、または、領域５１０にメッセージを表示することに加えて、そのメッセージの音声を再生出力するようにしてもよい。
【００６９】
図５Ｂは、図２に示されるステップＳ１１２０において、ユーザ装置１６０に表示されるダウンロード要求画面の一例を示す。
【００７０】
図５Ｂに示される例では、ダウンロード要求画面は、カメラ１２０によって既に撮影された写真を並べて表示するための領域５５０と、ダウンロード要求をサーバ装置１５０に送信するための「Ｄｏｗｎｌｏａｄ」ボタンを表示するための領域５６０とを含む。なお、図５Ｂに示される例では、カメラ１２０によって既に撮影されたすべての写真がダウンロードの対象となるようにダウンロードの対象となる写真をユーザが選択することはできないようになっているが（例えば、写真を撮影する前に写真代金および／または寄付金を支払う場合には、このようにすることが好ましい）、ダウンロードの対象となる写真をユーザが選択することができるようにしてもよい（例えば、写真を撮影した後に写真代金および／または寄付金を支払う場合には、このようにしてもよい）。
【００７１】
なお、図１および図２に示される実施形態では、コード生成装置１１０によって生成されたコードをユーザ装置１６０によって読み取り、ユーザ装置１６０において起動されたプログラムに従って、ユーザ装置１６０が、カメラ制御装置１３０を介して撮影スポットに設置されたカメラ１２０を遠隔的に操作し、カメラ１２０によって撮影された写真をクラウド上のクラウド格納部１４０にいったんアップロードし、ユーザ装置１６０からのダウンロード要求に応じてクラウド格納部１４０に格納されている写真をユーザ装置１６０にダウンロードする例を説明した。この例は、コード生成装置１１０、カメラ１２０、カメラ制御装置１３０、クラウド格納部１４０、サーバ装置１５０、ユーザ装置１６０が互いに協働して、「カメラによって撮影された写真をユーザに提供するための写真提供手段」を実現する例であるが、この「写真提供手段」を実現する構成は、図１および図２を参照して上述した構成に限定されない。「カメラによって撮影された写真をユーザに提供するための写真提供手段」を実現することができる限り、本発明は、任意の構成を採用することが可能である。
【００７２】
例えば、図１および図２に示される実施形態では、コード生成装置１１０が撮影識別子を生成し、かつ、コード生成装置１１０がコードを生成する例を説明したが、本発明はこれに限定されない。例えば、コード生成装置１１０の代わりに、ユーザ装置１６０が撮影識別子を生成し、かつ、ユーザ装置１６０がコードを生成するようにしてもよい（すなわち、ユーザ装置１６０が、コード生成装置１１０の機能を兼ねるようにしてもよい）。この場合、ユーザ装置１６０が、図２に示されるステップＳ１０００、Ｓ１０２０を実行するようにすればよい。
【００７３】
例えば、図１および図２に示される実施形態では、コード生成装置１１０がコードを生成する例を説明したが、本発明はこれに限定されない。コード生成装置１１０によって生成されるコードを用いることなく、ユーザを識別するユーザ識別子を用いて、１回の撮影単位の写真を識別することも可能である。例えば、ユーザ装置１６０において起動されるプログラムが会員制のプログラムであり、ユーザ装置１６０を所持するユーザがそのプログラムに会員登録している場合には、ユーザがそのプログラムにログインした際に、そのプログラムが起動されるようにすればよい。そのプログラムは、ログインしたユーザ（会員）を識別することが可能である。この場合、上述した撮影識別子の代わりに、ユーザを識別するユーザ識別子を用いて１回の撮影単位の写真を識別するようにすればよい。
【００７４】
例えば、図１および図２に示される実施形態では、カメラ制御装置１３０がカメラ１２０を制御する例を説明したが、本発明はこれに限定されない。例えば、カメラ制御装置１３０の代わりに、ユーザ装置１６０がカメラ１２０を制御するようにしてもよい（すなわち、ユーザ装置１６０が、カメラ制御装置１３０の機能を兼ねるようにしてもよい）。この場合、ユーザ装置１６０が、図２に示されるステップＳ１０８０、Ｓ１１００を実行するようにすればよい。
【００７５】
例えば、図１および図２に示される実施形態では、撮影スポットに設置されたカメラ１２０をユーザが遠隔的に操作する例を説明したが、本発明はこれに限定されない。撮影スポットに設置されたカメラ１２０を誰がどのように操作するのかは問わない。例えば、ユーザが自分でカメラ１２０のシャッターを押下してもよい（すなわち、ユーザが自分でカメラ１２０のシャッターを直接的に操作してもよい）。あるいは、ユーザの代わりに、撮影スポット付近の係員がカメラ１２０のシャッターを押下してもよい（すなわち、ユーザの代わりに、撮影スポット付近の係員がカメラ１２０のシャッターを直接的に操作してもよい）。
【００７６】
例えば、図１および図２に示される実施形態では、カメラ１２０によって撮影された写真をクラウド上のクラウド格納部１４０にいったんアップロードし、ユーザ装置１６０からのダウンロード要求に応じてクラウド格納部１４０に格納されている写真をユーザ装置１６０にダウンロードする例を説明したが、本発明はこれに限定されない。カメラ１２０によって撮影された写真がどのようしてユーザに提供されるのかは問わない。例えば、カメラ１２０によって撮影された写真をクラウド以外の格納部に格納するようにしてもよい。あるいは、カメラ１２０によって撮影された写真をカメラ１２０に内蔵される記録媒体カード（例えば、ＳＤカード）に格納するようにし、記録媒体カードに格納された写真をユーザ装置１６０内のメモリにコピーするようにしてもよい。あるいは、カメラ１２０によって撮影された写真を記録媒体カード（例えば、ＳＤカード）に格納するようにし、撮影スポット付近の係員が記録媒体カードに格納された写真をプリンタに出力し、その係員がプリンタから出力された写真をユーザに手渡しするようにしてもよい。あるいは、カメラ１２０によって撮影された写真を無線でプリンタに出力し、撮影スポット付近の係員がプリンタから出力された写真をユーザに手渡しするようにしてもよい。
【００７７】
さらに、図１および図２に示される実施形態では、図２に示されるステップＳ１０５０においてユーザ装置１６０が写真代金支払い画面を表示し、ユーザが写真代金および／または寄付金を支払う例を説明した。この例は、ユーザ装置１６０が「写真の代金に加えて、または、写真の代金に含めて、撮影スポットを設置した設置者への寄付金をユーザが支払うことを可能にするための寄付金支払い手段」を実現する例であるが、この「寄付金支払い手段」を実現する構成は、図１および図２を参照して上述した構成に限定されない。「写真の代金に加えて、または、写真の代金に含めて、撮影スポットを設置した設置者への寄付金をユーザが支払うことを可能にするための寄付金支払い手段」を実現することができる限り、本発明は、任意の構成を採用することが可能である。
【００７８】
例えば、図１および図２に示される実施形態では、ユーザ装置１６０を利用して、ユーザが写真代金および／または寄付金を支払う例を説明したが、ユーザ装置１６０を利用してどのような決済処理が実行されるかは問わない。ユーザ装置１６０（例えば、スマートフォン）は、ユーザ装置１６０を利用した決済処理として、いわゆる「スマホ決済」として知られている任意の決済処理を実行することが可能である。例えば、ユーザ装置１６０は、クレジットカード、銀行カード、電子マネーなどを用いた「スマホ決済」の決済処理を実行することが可能である。
【００７９】
例えば、図１および図２に示される実施形態では、ユーザ装置１６０を利用して、ユーザが写真代金および／または寄付金を支払う例を説明したが、ユーザが写真代金および／または寄付金を支払うためにユーザ装置１６０を利用することは必須ではない。例えば、ユーザは、ユーザ装置１６０を利用することなく、写真を撮影する前または写真を撮影した後に写真代金および／または寄付金を撮影スポット付近の係員に現金またはクレジットカードなどのカードで支払うようにしてもよい。あるいは、ユーザは、ユーザ装置１６０を利用する代わりに、コード生成装置１１０を利用して、ユーザが写真代金および／または寄付金を支払うようにしてもよい。コード生成装置１１０を利用してどのような決済処理が実行されるかは問わないことは、ユーザ装置１６０を利用してどのような決済処理が実行されるかは問わないことと同様である。
【００８０】
例えば、図１および図２に示される実施形態では、図２に示されるステップＳ１０５０において、写真代金支払い画面が表示される例を説明したが、写真代金支払い画面が表示されるタイミングは、これに限定されない（すなわち、写真代金支払い画面が表示されるタイミングは、写真を撮影する前に限定されない）。例えば、図２に示されるステップＳ１１４０の後で、写真代金支払い画面が表示されるようにしてもよい（すなわち、写真代金支払い画面が表示されるタイミングは、写真がユーザに提供された後であってもよい）。
【００８１】
４．「寄付金付き写真撮影サービス」という新しいサービスに付随するサービス
システム１００は、カメラ１２０が設置された第１の撮影スポット以外の第２の撮影スポットにユーザを案内するための手段をさらに備えていてもよい。ここで、カメラ１２０が設置された第１の撮影スポットは、「寄付金付き写真撮影サービス」を導入している第１の観光拠点内の撮影ポイントである。また、カメラ１２０が設置された第１の撮影スポット以外の第２の撮影スポットは、「寄付金付き写真撮影サービス」を導入している第２の観光拠点内の撮影スポットである。なお、第２の観光ポイントは、第１の観光ポイントと同一であってもよいし異なっていてもよい。
【００８２】
例えば、ユーザ装置１６０は、第１の撮影スポットでの撮影が終了し、かつ、第１の撮影スポットでの写真がユーザ装置１６０に提供されたことに応答して、ユーザ装置１６０の画面をリコメンド画面に遷移させるように構成されていてもよい。リコメンド画面では、例えば、カメラ１２０が設置された第１の撮影スポット以外の第２の撮影スポット（例えば、カメラ１２０が設置された第１の撮影スポットの近隣の第２の撮影スポット）が、次の撮影スポットとしてユーザにリコメンドされる。これにより、「寄付金付き写真撮影サービス」を導入している複数の観光拠点を周遊するようにユーザを誘導することが可能である。
【００８３】
例えば、上述したリコメンド画面を利用して、スタンプラリーの形式で、「寄付金付き写真撮影サービス」を導入している複数の観光拠点を周遊するようにユーザを誘導することも可能である。この場合、例えば、「寄付金付き写真撮影サービス」を導入しているいくつかの観光拠点をユーザが周遊したご褒美としてそのユーザに特典を与えるようにしてもよい。特典の一例は、ユーザが周遊したいくつかの観光拠点でそのユーザ自身が撮影した写真をポストカードにしたものであるが、これに限定されない。このようなポストカードを旅の記念品としてユーザの自宅に郵送するサービスを行うようにしてもよい。このようなサービスが話題となって、「寄付金付き写真撮影サービス」を導入している複数の観光拠点を周遊する観光客が増加すれば、これまであまり人気がなかった観光拠点にも観光客を送ることが可能になる。
【００８４】
なお、上述した実施形態では、「寄付金付き写真撮影サービス」として、撮影スポットに設置されたカメラによって撮影された写真をユーザに提供し、この写真の代金に加えて、または、この写真の代金に含めて、撮影スポットを設置した設置者への寄付金をユーザが支払うことを可能にする例を説明したが、撮影スポットに設置されたカメラによって撮影された静止画または動画をユーザに提供し、この静止画または動画の代金に加えて、または、この静止画または動画の代金に含めて、撮影スポットを設置した設置者への寄付金をユーザが支払うことを可能にするようにしてもよい。本明細書では、「写真」とは、個々の写真（すなわち、個々の静止画）に限らず、連写された一連の写真（すなわち、連写によって生成された一連の静止画）や、一連の静止画を高速で切り替えて再生することによって人間の目には連続的に再生されているように見える映像（すなわち、動画）をも含むものと定義する。すなわち、本明細書では、「写真」とは、静止画または動画を含むものと定義する。
【００８５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【００８６】
本発明は、観光拠点を運営する運営者への寄付金を増加させることを可能にするシステムおよび方法等を提供するものとして有用である。
【符号の説明】
【００８７】
１００  システム
１１０  コード生成装置
１２０  カメラ
１３０  カメラ制御装置
１４０  クラウド格納部
１５０  サーバ装置
１６０  ユーザ装置
１７０  Ｗｉ−Ｆｉ（登録商標）ルータ
【図１】
2020155034.tif 000003
【図２】
2020155034.tif 000004
【図３Ａ】
2020155034.tif 000005
【図３Ｂ】
2020155034.tif 000006
【図３Ｃ】
2020155034.tif 000007
【図３Ｄ】
2020155034.tif 000008
【図４Ａ】
2020155034.tif 000009
【図４Ｂ】
2020155034.tif 000010
【図４Ｃ】
2020155034.tif 000011
【図４Ｄ】
2020155034.tif 000012
【図５Ａ】
2020155034.tif 000013
【図５Ｂ】
2020155034.tif 000014